Podtech/llm-jp-corpus-v4-ja_patent huggingface dataset:
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
円筒または円柱形状の原盤の周面に複数の凸部を形成するステップと、
基材上に光硬化性樹脂組成物を塗布して光硬化性樹脂組成物層を形成することにより、幅が０．０５ｃｍ以上３００ｃｍ以下、長さが５ｍ以上の長尺の被転写フィルムを取得するステップと、
取得した被転写フィルムの当該光硬化性樹脂組成物層に対して、前記原盤を回転させながら押圧し、前記原盤の周面形状に対応する凹部を前記被転写フィルムの光硬化性樹脂組成物層に転写し光硬化させてフィルム本体を作製するステップと、を含み、
前記凹部の開口面の直径は、可視光波長よりも大きく、
前記凹部の配列パターンは、前記フィルム本体の長さ方向に沿った周期性を有し、
前記凹部の配列パターンの一周期中における同一配列パターンに対応する領域の凹部に基づいて前記凹部の欠損率を算出したとき、前記フィルム本体の一方の端部における凹部の欠損率と、前記フィルム本体の他方の端部における凹部の欠損率との差は、１０ｐｐｍ以下であり、該一方の端部より他方の端部に向かって欠損率が漸増する、エンボスフィルムの製造方法。
【請求項２】
前記フィルム本体に形成された前記凹部は、それぞれ略同一形状を有する、請求項１記載の製造方法。
【請求項３】
前記凹部の配列パターンは、格子形状である、請求項１又は２記載の製造方法。
【請求項４】
前記凹部の数密度は、５０００００００個／ｃｍ２以下である、請求項１〜３のいずれか一項に記載の製造方法。
【請求項５】
前記フィルム本体は、前記凹部内を含む表面の少なくとも一部に、無機化合物からなる被覆層を備える、請求項１〜４のいずれか一項に記載の製造方法。
【請求項６】
エンボスフィルムの全体長さに対して０．１％、２５％、５０％、７５％、及び１００％の各地点における前記凹部の欠損率が、一方の端部における凹部の欠損率と、他方の端部における凹部の欠損率とを両端とする範囲内に含まれている請求項１〜５のいずれか一項に記載の製造方法。
【請求項７】
前記一方の端部における前記凹部の欠損率と、他方の端部における凹部の欠損率との差が、１ｐｐｍ以下である請求項１〜６のいずれか一項に記載の製造方法。
【請求項８】
前記凹部の欠損率が、フィルム本体全体で０％ではない請求項１〜７のいずれか一項に記載の製造方法。
【請求項９】
前記凹部の連続した欠損は、フィルム本体の１０ｃｍ２の面積範囲で１０個以下である請求項１〜８のいずれか一項に記載の製造方法。
【請求項１０】
同一開口形状の凹部は、同一の深さを有する請求項１〜９のいずれか一項に記載の製造方法。
【請求項１１】
フィルム本体と、
前記フィルム本体の表面に形成された複数の凹部と、を備えたエンボスフィルムであって、
前記凹部の開口面の直径は、可視光波長よりも大きく、
前記凹部の配列パターンは、前記フィルム本体の長さ方向に沿った周期性を有し、
前記フィルム本体の一方の端部における凹部の欠損率と、前記フィルム本体の他方の端部における凹部の欠損率との差は、１０ｐｐｍ以下である、エンボスフィルム。
【請求項１２】
フィルム本体が、樹脂層から構成されている請求項１１記載のエンボスフィルム。
【請求項１３】
フィルム本体が、硬化性または可塑性の樹脂から構成されている請求項１１記載のエンボスフィルム。
【請求項１４】
エンボスフィルムが、複数の樹脂層が積層された積層体である請求項１１記載のエンボスフィルム。
【請求項１５】
該凹部が、フィルム本体を貫通している、請求項１１記載のエンボスフィルム。
【請求項１６】
請求項１１〜１５のいずれかに記載のエンボスフィルムを用い、前記配列パターンに対応する位置に微小固形物が転写された、転写物。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
ゲーム装置と、前記ゲーム装置とは離れた位置に設置された有効化装置とを具備したゲームシステムの前記ゲーム装置であって、
当該ゲーム装置での今回のプレイによって得られた成果であって、今回のプレイのプレーヤのプレーヤ識別情報を少なくとも含む有効化のための所与の識別情報が関連付けられており、未だ有効化されていない成果をプレーヤに付与する成果付与手段と、
前記プレーヤ識別情報を入力する入力手段と、
前記入力手段により入力された前記プレーヤ識別情報に基づいて、前記成果が有効化されたか否かを判定する有効化実施判定手段と、
前記有効化実施判定手段により否定判定された場合に当該プレーヤのプレイを禁止する手段と、
を備え、
前記有効化装置は、当該有効化装置に入力された前記プレーヤ識別情報に基づいて、当該プレーヤ識別情報が示すプレーヤに付与された前記成果を有効化する有効化手段を備える、
ゲーム装置。
【請求項２】
ゲーム装置と、前記ゲーム装置とは離れた位置に設置されたコンピュータとを具備したゲームシステムの前記コンピュータを有効化装置として機能させるためのプログラムであって、
前記ゲーム装置は、
当該ゲーム装置での今回のプレイによって得られた成果であって、今回のプレイのプレーヤのプレーヤ識別情報を少なくとも含む有効化のための所与の識別情報が関連付けられており、未だ有効化されていない成果をプレーヤに付与する成果付与手段と、
前記プレーヤ識別情報を入力する入力手段と、
前記入力手段により入力された前記プレーヤ識別情報に基づいて、前記成果が有効化されたか否かを判定する有効化実施判定手段と、
前記有効化実施判定手段により否定判定された場合に当該プレーヤのプレイを禁止する手段と、
を備えており、
前記コンピュータを、
当該コンピュータに入力された前記プレーヤ識別情報に基づいて、当該プレーヤ識別情報が示すプレーヤに付与された前記成果を有効化する有効化手段、
として機能させるためのプログラム。
【請求項３】
ゲーム装置と、前記ゲーム装置とは離れた位置に設置された有効化装置とを具備したゲームシステムであって、
前記ゲーム装置は、
当該ゲーム装置での今回のプレイによって得られた成果であって、今回のプレイのプレーヤのプレーヤ識別情報を少なくとも含む有効化のための所与の識別情報が関連付けられており、未だ有効化されていない成果をプレーヤに付与する成果付与手段と、
前記プレーヤ識別情報を入力する入力手段と、
前記入力手段により入力された前記プレーヤ識別情報に基づいて、前記成果が有効化されたか否かを判定する有効化実施判定手段と、
前記有効化実施判定手段により否定判定された場合に当該プレーヤのプレイを禁止する手段と、
を備え、
前記有効化装置は、当該有効化装置に入力された前記プレーヤ識別情報に基づいて、当該プレーヤ識別情報が示すプレーヤに付与された前記成果を有効化する有効化手段を備える、
ゲームシステム。
【請求項４】
前記ゲーム装置および前記有効化装置と通信可能なサーバシステムを更に具備し、
前記サーバシステムは、
前記成果が有効化実施済みか否かと前記プレーヤ識別情報とを対応付けて管理する管理手段、
を備え、
前記有効化手段は、前記有効化装置に入力された前記プレーヤ識別情報を前記サーバシステムに通知して、当該プレーヤ識別情報に対応する成果を有効化させ、
前記有効化実施判定手段は、前記入力手段により入力された前記プレーヤ識別情報に対応する成果が有効化実施済みか否かを前記サーバシステムに問い合わせる手段を有する、
請求項３に記載のゲームシステム。
【請求項５】
前記有効化装置は、
前記成果が有効化実施済みか否かと前記プレーヤ識別情報とを対応付けて管理する管理手段、
を更に備え、
前記有効化手段は、前記管理手段により管理された、前記有効化装置に入力された前記プレーヤ識別情報に対応する成果を有効化させ、
前記有効化実施判定手段は、前記入力手段により入力された前記プレーヤ識別情報に対応する成果が有効化実施済みか否かを前記管理手段に問い合わせる手段を有する、
請求項３に記載のゲームシステム。
【請求項６】
前記ゲーム装置は、
前記成果が有効化実施済みか否かと前記プレーヤ識別情報とを対応付けて管理する管理手段、
を更に備え、
前記有効化手段は、前記管理手段により管理された、前記有効化装置用に入力された前記プレーヤ識別情報に対応する成果を有効化させ、
前記有効化実施判定手段は、前記入力手段により入力された前記プレーヤ識別情報に対応する成果が有効化実施済みか否かを前記管理手段に問い合わせる手段を有する、
請求項３に記載のゲームシステム。
【請求項７】
前記成果付与手段は、前記今回のプレイの得点、前記今回のプレイで得られたレベルアップ要素、および、前記今回のプレイで得られたアイテムのうちの何れかを前記成果として付与する手段を有する、
請求項３〜６の何れか一項に記載のゲームシステム。
【請求項８】
前記ゲーム装置は、
前記成果付与手段により成果が付与された場合に、当該成果を前記有効化装置で有効化させることを促す報知を行う成果付与時報知制御手段、
を更に備える、
請求項３〜７の何れか一項に記載のゲームシステム。
【請求項９】
前記成果には、前記成果付与手段により付与された付与日時情報、および／又は、有効化の期限の情報、である時間情報が更に対応付けられており、
前記有効化手段は、前記時間情報に基づいて、前記成果を有効化させるか否かを決定する手段を有する、
請求項３〜８の何れか一項に記載のゲームシステム。
【請求項１０】
前記成果には、前記成果付与手段により付与された付与日時情報、および／又は、有効化の期限の情報、である時間情報が更に対応付けられており、
前記有効化手段は、前記時間情報に基づいて、前記成果の内容を変更する手段を有する、
請求項３〜９の何れか一項に記載のゲームシステム。
【請求項１１】
前記成果には、前記成果付与手段により付与された付与日時情報、および／又は、有効化の期限の情報、である時間情報が更に対応付けられており、
前記有効化手段は、前記時間情報に基づいて、前記成果の内容を変更する抽選処理を実行する手段を有する、
請求項３〜１０の何れか一項に記載のゲームシステム。
【手続補正２】
【補正対象書類名】明細書
【補正対象項目名】発明の名称
【補正方法】変更
【補正の内容】
【発明の名称】ゲーム装置、プログラムおよびゲームシステム
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
主制御手段及び副制御手段を有する遊技機であって、
前記主制御手段は、
遊技領域に設けられ遊技球が入球可能な入球部へ遊技球が入球した場合に、判定用情報を取得し、取得した前記判定用情報を予め定められた所定数を上限として記憶する記憶手段と、
前記入球部へ遊技球が入球した場合に、前記副制御手段へ所定コマンドを出力する手段と、
を備え、
前記副制御手段は、
前記記憶手段に前記所定数の前記判定用情報が記憶されている状況で所定コマンドを受信した場合に、特別演出を実行可能な手段を備えていることを特徴とする遊技機。
【請求項２】
前記遊技領域に向けて遊技球を発射する発射手段を備えていることを特徴とする請求項１に記載の遊技機。
【手続補正２】
【補正対象書類名】明細書
【補正対象項目名】０００６
【補正方法】変更
【補正の内容】
【０００６】
本発明は、
主制御手段及び副制御手段を有する遊技機であって、
前記主制御手段は、
遊技領域に設けられ遊技球が入球可能な入球部へ遊技球が入球した場合に、判定用情報を取得し、取得した前記判定用情報を予め定められた所定数を上限として記憶する記憶手段と、
前記入球部へ遊技球が入球した場合に、前記副制御手段へ所定コマンドを出力する手段と、
を備え、
前記副制御手段は、
前記記憶手段に前記所定数の前記判定用情報が記憶されている状況で所定コマンドを受信した場合に、特別演出を実行可能な手段を備えていることを特徴とする。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
携帯型血液透析装置用の筐体であって、
フロントパネルを有するハウジングを備え、前記フロントパネルは、前記フロントパネルの両側において前記ハウジングにヒンジ式に取り付けられた一対の縦型並列ドアによって密閉可能であり、前記ドアは開放位置と閉鎖位置との間で移動可能であり、前記開放位置にあるとき、透析器および１つまたは複数の血液ポンプに関する接続部および取り付け場所へのアクセスが可能であり、
前記フロントパネルは、前記透析器および前記１つまたは複数の血液ポンプを透析液セクションおよび制御セクションから分離し、前記透析液セクションは、前記透析器への接続のための１つまたは複数の透析液ポンプを保持するように構成され、前記制御セクションは、前記１つまたは複数の血液ポンプおよび前記１つまたは複数の透析液ポンプを制御し、かつ１つまたは複数のユーザインタフェースと通信するように構成されたコントローラを含み、
前記１つまたは複数のユーザインタフェースの第１のユーザインタフェースは、前記第１のユーザインタフェースが前記ハウジングに取り付けられるか、または吊り下げられ、かつ前記ハウジングから離間した表面上に配置されることができるように前記コントローラと接続するように構成されたグラフィカルユーザインタフェースである、筐体。
【請求項２】
前記１つまたは複数のユーザインタフェースの第２のユーザインタフェースを備え、前記第２のユーザインタフェースは、前記フロントパネル上に配置され、かつ前記ドアによって密閉可能である、請求項１に記載の筐体。
【請求項３】
前記第２のユーザインタフェースが、前記第１のユーザインタフェースがユーザから受信するように構成された１つまたは複数のコマンドをユーザが無視またはバイパスすることを可能にする１つまたは複数のボタンを含む、請求項２に記載の筐体。
【請求項４】
前記１つまたは複数のコマンドが、停止コマンド、一時停止コマンド、または前記１つまたは複数の血液ポンプおよび前記透析器を含む血液回路に透析液を注入するためのコマンドを含む、請求項３に記載の筐体。
【請求項５】
前記第１のユーザインタフェースがグラフィカルユーザインタフェースである、請求項１に記載の筐体。
【請求項６】
前記第１のユーザインタフェースは、前記ハウジングに接続されたケーブルによって前記コントローラと接続するように構成されている、請求項１に記載の筐体。
【請求項７】
前記第１のユーザインタフェースは、前記ハウジング上のホルダまたはフックによって前記ハウジングに吊り下げられるように構成される、請求項１に記載の筐体。
【請求項８】
前記ホルダまたはフックが、使用されていないときに、前記ハウジングの凹部内に収容可能であるように構成される、請求項７に記載の筐体。
【請求項９】
前記第１のユーザインタフェースおよび前記ハウジングは、前記ハウジングの上面に前記第１のユーザインタフェースを配置するように構成される、請求項１に記載の筐体。
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
熱成形基材上に画像を塗布する方法において、
ａ）表面エネルギ変更装置によって前記熱成形基材の第１の表面エネルギを変更することと、
ｂ）少なくとも１つの全幅印刷ヘッドアレイによって前記基材の一部に少なくとも１つの伸縮性インクを含む背景層を堆積させることと、
ｃ）少なくとも１つの放射線硬化装置によって第１の印刷基材を形成するように前記背景層を硬化させることと、
ｄ）前記表面エネルギ変更装置によって前記第１の印刷基材の第２の表面エネルギを変更することと、
ｅ）少なくとも１つの全幅印刷ヘッドアレイによって前記背景層上に少なくとも１つの伸縮性インクを含む前景層を堆積させることと、
ｆ）少なくとも１つの放射線硬化装置によって第２の印刷基材を形成するように前記前景層を硬化させることとを備える、熱成形基材上に画像を塗布する方法。
【請求項２】
ｃ１）巻き戻し機を使用して前記第１の印刷基材のロールを形成することをさらに備える、請求項１に記載の熱成形基材上に画像を塗布する方法。
【請求項３】
ｆ１）巻き戻し機を使用して前記第２の印刷基材のロールを形成することをさらに備える、請求項１に記載の熱成形基材上に画像を塗布する方法。
【請求項４】
前記少なくとも１つの伸縮性インクが紫外線硬化型インクである、請求項１に記載の熱成形基材上に画像を塗布する方法。
【請求項５】
前記熱成形基材が、ポリエチレンテレフタレートグリコール変性；ポリカーボネート；アクリル；ポリ塩化ビニル；アクリロニトリルブタジエンスチレン；及び、それらの組み合わせからなる群から選択される、請求項１に記載の熱成形基材上に画像を塗布する方法。
【請求項６】
前記表面エネルギ変更装置が、コロナ処理ステーション；大気圧プラズマ処理ステーション；火炎処理ステーション；及び、それらの組み合わせからなる群から選択される、請求項１に記載の熱成形基材上に画像を塗布する方法。
【請求項７】
前記熱成形基材が、第１の幅を含み、前記表面エネルギ変更装置が、前記第１の幅よりも大きい第２の幅を含む、請求項１に記載の熱成形基材上に画像を塗布する方法。
【請求項８】
前記少なくとも１つの全幅印刷ヘッドアレイのそれぞれの全幅印刷ヘッドアレイが複数の圧電印刷ヘッドを備える、請求項１に記載の熱成形基材上に画像を塗布する方法。
【請求項９】
前記少なくとも１つの全幅印刷ヘッドアレイのそれぞれの全幅印刷ヘッドアレイが前記少なくとも１つの伸縮性インクの固有の伸縮性インクを分配する、請求項１に記載の熱成形基材上に画像を塗布する方法。
【請求項１０】
前記熱成形基材が、第１の幅を含み、前記少なくとも１つの全幅印刷ヘッドアレイが前記第１の幅よりも小さい第２の幅を含む、請求項１に記載の熱成形基材上に画像を塗布する方法。
【請求項１１】
前記少なくとも１つの放射線硬化装置が紫外線放射源；赤外線放射源；可視光放射源、及び、それらの組み合わせからなる群から選択される、請求項１に記載の熱成形基材上に画像を塗布する方法。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
印刷に有用な装置であって、
第１のトレイ、および前記第１のトレイの上方に配置される第２のトレイを含むラックであって、前記第１のトレイおよび前記第２のトレイがそれぞれ、印字ヘッドから廃材を回収するのに適し、前記第１のトレイおよび前記第２のトレイがそれぞれ、廃材を排出するための、選択的動作が可能な排出弁を含む、ラックと、
前記第１のトレイの前記排出弁および前記第２のトレイの前記排出弁に関連する連結部と、を含み、
前記ラックが、前記装置内で排出位置に選択的に配置可能であり、それにより、前記排出位置で、前記連結部が前記装置の面に押し込まれ、その押し込みにより、前記連結部が前記第１のトレイの前記排出弁と前記第２のトレイの前記排出弁を開く、装置。
【請求項２】
取付けブラケットをさらに含み、前記ラックが前記取付けブラケットに摺動自在に取り付けられる、請求項１に記載の装置。
【請求項３】
前記ラックが、前記取付けブラケットの底面位置に摺動すると、前記ラックが前記排出位置に配置される、請求項２に記載の装置。
【請求項４】
前記ラックが、前記取付けブラケットの底面位置に摺動すると、前記第１のトレイの前記排出弁が、廃材を前記第１のトレイから回収ボトルに排出するよう構成される、請求項２に記載の装置。
【請求項５】
前記ラックが、前記底面位置に配置されると、前記連結部が前記取付けブラケットの面に押し込まれて、前記第１のトレイの前記排出弁と前記第２のトレイの前記排出弁が開き、前記取付けブラケットの前記面が前記装置の前記面である、請求項３に記載の装置。
【請求項６】
前記連結部が、前記ラックに摺動自在に取り付けられる、請求項１に記載の装置。
【請求項７】
前記第２のトレイの前記排出弁が、前記第２のトレイから前記第１のトレイに廃材を排出するよう構成される、請求項１に記載の装置。
【請求項８】
前記第１のトレイの前記排出弁が、前記第１のトレイから回収ボトルに廃材を排出するよう構成される、請求項７に記載の装置。
【請求項９】
前記第１のトレイと前記第２のトレイの少なくとも一方の前記排出弁が、入口の開口を含む落下管を含み、それにより、前記排出弁が開くとき、前記落下管が上方に前記トレイ内へと配置され、それにより廃材が前記入口の開口を通過し、前記落下管を通り下方に流れ得る、請求項１に記載の装置。
【請求項１０】
前記連結部が前記装置の面に押し込まれた結果、前記連結部は、前記落下管を上方に移動させるように構成される、請求項９に記載の装置。
【請求項１１】
前記第１のトレイと前記第２のトレイの少なくとも１つが、前記印字ヘッドからの廃材を方向づけるシュートを含む、請求項１に記載の装置。
【請求項１２】
印刷に有用な装置であって、
第１のトレイ、および前記第１のトレイの上方に配置される第２のトレイを含むラックであって、前記第１のトレイおよび前記第２のトレイがそれぞれ、印字ヘッドから廃材を回収するのに適し、前記第１のトレイおよび前記第２のトレイがそれぞれ、廃材を排出するための、選択的動作が可能な排出弁を含む、ラックと、
前記取付けブラケットに摺動自在に取り付けられる取付けブラケットと、
前記第１のトレイの前記排出弁と前記第２のトレイの前記排出弁に関連する連結部であって、前記連結部が前記ラックに摺動自在に取り付けられ、前記ラックが排出位置にある前記取付けブラケットに選択的に配置可能であり、それにより、前記排出位置で、前記連結部が前記装置の面に押し込まれ、その押し込みにより、前記連結部が前記第１のトレイの前記排出弁と前記第２のトレイの前記排出弁を開く、連結部と、を含み、
前記第２のトレイの前記排出弁が、廃材を前記第２のトレイから前記第１のトレイに排出するよう構成され、前記第１のトレイの前記排出弁が、廃材を前記第１のトレイから回収ボトルに排出するよう構成される、装置。
【請求項１３】
前記第１のトレイと前記第２のトレイの少なくとも一方の前記排出弁が、入口の開口を含む落下管を含み、それにより、前記排出弁が開くとき、前記落下管が上方に前記トレイ内へと配置され、それにより廃材が前記入口の開口を通過し、前記落下管を通り下方に流れ得る、請求項１２に記載の装置。
【請求項１４】
前記連結部が前記装置の面に押し込まれた結果、前記連結部は、前記落下管を上方に移動させるように構成される、請求項１３に記載の装置。
【請求項１５】
前記第１のトレイと前記第２のトレイの少なくとも１つが、前記印字ヘッドからの廃材を方向づけるシュートを含む、請求項１２に記載の装置。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
遊技球を貯留可能な上皿と、前記上皿の下方に設けられる下皿と、遊技者が操作可能な演出操作部とを備えた遊技機において、
前記演出操作部は、前記上皿の前方から前記下皿の側方にかけて形成された所定の収容空間に収容されており、
前記下皿は、所定の下皿球抜操作部の操作により下皿底面に形成された球抜孔から遊技球を排出することが可能であり、
前記下皿球抜操作部は、当該遊技機の前面側から操作可能であり、前記演出操作部が前記収容空間に収容された状態で前記演出操作部の最前面よりも後方に退避した位置に設けられる
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される上皿と、上皿の下側に配置され遊技媒体が貯留される下皿とを備えている（例えば、特許文献１）。
【手続補正３】
【補正対象書類名】明細書
【補正対象項目名】０００４
【補正方法】変更
【補正の内容】
【０００４】
しかしながら、このような遊技機においては、下皿を搭載するうえでより好適なものが求められている。
【手続補正４】
【補正対象書類名】明細書
【補正対象項目名】０００６
【補正方法】変更
【補正の内容】
【０００６】
本発明は、下皿に関してより好適な構成を提案するものである。
【手続補正５】
【補正対象書類名】明細書
【補正対象項目名】０００７
【補正方法】変更
【補正の内容】
【０００７】
本発明は、
遊技球を貯留可能な上皿（上皿２０１）と、前記上皿の下方に設けられる下皿（下皿２０２）と、遊技者が操作可能な演出操作部（演出操作ユニット３００）とを備えた遊技機において、
前記演出操作部は、前記上皿の前方から前記下皿の側方にかけて形成された所定の収容空間（演出操作ユニット取付部２５２ｉ）に収容されており、
前記下皿は、所定の下皿球抜操作部（下皿球抜ボタン２６３）の操作により下皿底面に形成された球抜孔から遊技球を排出することが可能であり、
前記下皿球抜操作部は、当該遊技機の前面側から操作可能であり、前記演出操作部が前記収容空間に収容された状態で前記演出操作部の最前面よりも後方に退避した位置に設けられる（図６、図２４、図４７、段落０３３３等参照）
ことを特徴とする。
また、本発明とは別の発明として、以下の手段を参考的に開示する。
手段１：遊技機において、
「遊技が行われる遊技領域と、
該遊技領域の外周を区画している枠状の前構成部材と、
該前構成部材の後側に取付けられており、前記遊技領域の後端を区画している平板状の遊技パネルと、
該遊技パネルに取付けられているユニットベースと、
該ユニットベースに正面視前記遊技領域内の周縁付近の退避位置と中央付近の出現位置との間で移動可能且つ前方から視認可能に取付けられており、所定の装飾が形成されているメイン装飾体と、
該メイン装飾体が前記退避位置から前記出現位置へ移動すると、正面視において互いに重なっている第一位置から互いに移動して重なりが解消されている第二位置へ移動するように前記メイン装飾体に取付けられており、所定の装飾が形成されている複数のサブ装飾体と、
前記ユニットベースに取付けられており、前記遊技領域内において遊技が行われることで変化する遊技状態に応じて、前記メイン装飾体を前記退避位置と前記出現位置との間で移動させる駆動モータと、
前記メイン装飾体及び複数の前記サブ装飾体よりも後方で正面視前記遊技領域内の中央に配置されており、演出画像を表示可能な演出表示手段と
を具備している」ものであることを特徴とする。
【手続補正６】
【補正対象書類名】明細書
【補正対象項目名】００９４
【補正方法】変更
【補正の内容】
【００９４】
本発明によれば、好適な下皿を備えた遊技機を提供することができる。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
開閉可能な前扉を備えた遊技機であって、
前記前扉は、
遊技球を貯留可能な上皿と、
前記上皿の下方に設けられる下皿と、
遊技者が操作可能な演出操作部と、
所定条件の成立に基づいて振動を発生させる振動部と、を有し、
前記演出操作部は、前記上皿の前方から前記下皿の側方にかけて形成された所定の収容空間に収容され、
前記振動部は、前記演出操作部と一体化されて前記収容空間に収容され、該収容空間に収容された状態で前記下皿の側方に位置する
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される上皿と、上皿の下側に配置され遊技媒体が貯留される下皿とを備えている（例えば、特許文献１）。
【手続補正３】
【補正対象書類名】明細書
【補正対象項目名】０００４
【補正方法】変更
【補正の内容】
【０００４】
しかしながら、このような遊技機においては、下皿を搭載するうえでより好適なものが求められている。
【手続補正４】
【補正対象書類名】明細書
【補正対象項目名】０００６
【補正方法】変更
【補正の内容】
【０００６】
本発明は、下皿に関してより好適な構成を提案するものである。
【手続補正５】
【補正対象書類名】明細書
【補正対象項目名】０００７
【補正方法】変更
【補正の内容】
【０００７】
本発明は、
開閉可能な前扉を備えた遊技機であって、
前記前扉は、
遊技球を貯留可能な上皿（上皿２０１）と、
前記上皿の下方に設けられる下皿（下皿２０２）と、
遊技者が操作可能な演出操作部（演出操作ユニット３００）と、
所定条件の成立に基づいて振動を発生させる振動部（振動スピーカ３５４）と、を有し、
前記演出操作部は、前記上皿の前方から前記下皿の側方にかけて形成された所定の収容空間（演出操作ユニット取付部２５２ｉ）に収容され、
前記振動部は、前記演出操作部と一体化されて前記収容空間に収容され、該収容空間に収容された状態で前記下皿の側方に位置する（図４１、図５３、段落０２７８等参照）
ことを特徴とする。
また、本発明とは別の発明として、以下の手段を参考的に開示する。
手段１：遊技機において、
「遊技が行われる遊技領域と、
該遊技領域の外周を区画している枠状の前構成部材と、
該前構成部材の後側に取付けられており、前記遊技領域の後端を区画している平板状の遊技パネルと、
該遊技パネルに取付けられているユニットベースと、
該ユニットベースに正面視前記遊技領域内の周縁付近の退避位置と中央付近の出現位置との間で移動可能且つ前方から視認可能に取付けられており、所定の装飾が形成されているメイン装飾体と、
該メイン装飾体が前記退避位置から前記出現位置へ移動すると、正面視において互いに重なっている第一位置から互いに移動して重なりが解消されている第二位置へ移動するように前記メイン装飾体に取付けられており、所定の装飾が形成されている複数のサブ装飾体と、
前記ユニットベースに取付けられており、前記遊技領域内において遊技が行われることで変化する遊技状態に応じて、前記メイン装飾体を前記退避位置と前記出現位置との間で移動させる駆動モータと
を具備している」ものであることを特徴とする。
【手続補正６】
【補正対象書類名】明細書
【補正対象項目名】００９７
【補正方法】変更
【補正の内容】
【００９７】
本発明によれば、振動部との配置関係が新規な好適な下皿を備えた遊技機を提供することができる。
- 4 -
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
被加振物が取り付けられる振動テーブルと、
前記振動テーブルを所定方向に加振する加振ユニットと、
を備え、
前記振動テーブルが、
前記被加振物を収容可能な中空部が設けられ、前記被加振物を前記中空部に出し入れするための第１開口が一面に形成された箱部と、
前記第１開口を塞ぐ蓋部と、
を備えた、
加振装置。
【請求項２】
被加振物が取り付けられる振動テーブルと、
前記振動テーブルを所定方向に加振する加振ユニットと、
を備え、
前記被加振物を収容可能な中空部が前記振動テーブルに設けられ、
前記振動テーブルが、
底板と、
前記底板の縁部から垂直に突出した枠部と、
前記枠部の内部に配置され、前記底板から垂直に突出した格子状の中板と、を有する、
加振装置。
【請求項３】
前記振動テーブルに、前記中空部内の前記被加振物と外部装置とを接続する長物が通される第２開口が形成された、
請求項１又は請求項２に記載の加振装置。
【請求項４】
被加振物が取り付けられる振動テーブルと、
前記振動テーブルを所定方向に加振する加振ユニットと、
を備え、
前記被加振物を収容可能な中空部が前記振動テーブルに設けられ、
前記振動テーブルに、前記中空部内の前記被加振物と外部装置とを接続する長物が通される第２開口が形成された、
加振装置。
【請求項５】
前記振動テーブルが、略箱形である、
請求項４に記載の加振装置。
【請求項６】
前記振動テーブルが、
前記被加振物を前記中空部に出し入れするための第１開口が一面に形成された箱部と、
前記第１開口を塞ぐ蓋部と、を備えた、
請求項５に記載の加振装置。
【請求項７】
前記振動テーブルが、
底板と、
前記底板の縁部から垂直に突出した枠部と、を有する、
請求項４から請求項６のいずれか一項に記載の加振装置。
【請求項８】
前記枠部の内部に配置された、前記底板から垂直に突出した格子状の中板を有する、
請求項７に記載の加振装置。
【請求項９】
前記中板が、前記底板及び前記枠部に接合された、
請求項８に記載の加振装置。
【請求項１０】
前記振動テーブルの重心の前記所定方向と垂直な投影平面上への投影が、該投影平面上への前記加振ユニットの可動部の投影に含まれる、
請求項１から請求項９のいずれか一項に記載の加振装置。
【請求項１１】
前記振動テーブルの重心が、該振動テーブルの外形の中心に配置された、
請求項１から請求項１０のいずれか一項に記載の加振装置。
【請求項１２】
前記中空部が、前記振動テーブルの中央部に形成された、
請求項１から請求項１１のいずれか一項に記載の加振装置。
【請求項１３】
前記加振ユニットが、
前記振動テーブルを水平方向であるＸ軸方向に加振するＸ軸加振ユニットを含む、
請求項１から請求項１２のいずれか一項に記載の加振装置。
【請求項１４】
前記加振ユニットが、
前記振動テーブルを前記Ｘ軸方向に垂直な水平方向であるＹ軸方向に加振するＹ軸加振ユニットを含む、
請求項１３に記載の加振装置。
【請求項１５】
前記加振ユニットが、
前記振動テーブルを鉛直方向であるＺ軸方向に加振するＺ軸加振ユニットを含む、
請求項１から請求項１４のいずれか一項に記載の加振装置。
【請求項１６】
前記振動テーブルの底板に前記被加振物を取り付けるための取付け構造が設けられた、
請求項１から請求項１５のいずれか一項に記載の加振装置。
【請求項１７】
前記振動テーブルの壁部に前記被加振物を取り付けるための取付け構造が設けられた、
請求項１から請求項１６のいずれか一項に記載の加振装置。
【請求項１８】
加振装置用の振動テーブルであって、
被加振物を収容可能な中空部が設けられ、前記被加振物を前記中空部に出し入れするための第１開口が一面に形成された箱部と、
前記第１開口を塞ぐ蓋部と、
を備えたもの。
【請求項１９】
加振装置用の振動テーブルであって、
被加振物を収容可能な中空部が設けられ、
底板と、
前記底板の縁部から垂直に突出した枠部と、
前記枠部の内部に配置された、前記底板から垂直に突出した格子状の中板と、
を有するもの。
【請求項２０】
加振装置用の振動テーブルであって、
被加振物を収容可能な中空部が設けられ、
前記中空部内の前記被加振物と外部装置とを接続する長物が通される第２開口が形成されたもの。
【請求項２１】
被加振物を取り付けた振動テーブルを加振ユニットにより所定方向に加振する加振方法であって、
前記所定方向と垂直な投影平面上への前記被加振物の重心の投影が該投影平面上への前記加振ユニットの可動部の投影に含まれるように前記被加振物を前記振動テーブルに取り付けて加振するもの。
【請求項２２】
請求項１から請求項１７のいずれか一項に記載の加振装置を使用して加振する、
請求項２１に記載の加振方法。
【手続補正２】
【補正対象書類名】明細書
【補正対象項目名】発明の名称
【補正方法】変更
【補正の内容】
【発明の名称】加振装置、振動テーブル及び加振方法
【手続補正３】
【補正対象書類名】明細書
【補正対象項目名】０００１
【補正方法】変更
【補正の内容】
【０００１】
本発明は、振動試験等に使用される加振装置、振動テーブル及び加振方法に関する。
【手続補正４】
【補正対象書類名】明細書
【補正対象項目名】０２１８
【補正方法】変更
【補正の内容】
【０２１８】
本実施形態のＹＺスライダ３１６０及びＺＸスライダ３２６０は、第１実施形態のＹＺスライダ１６０及びＺＸスライダ２６０よりも多くのクロスガイド３１６４及び３２６４により振動テーブル３４００と各水平アクチュエータ３１００Ａ及び３２００Ａとを連結するため、振動テーブル３４００をより均一に加振することができる。また、本実施形態のＹＺスライダ３１６０及びＺＸスライダ３２６０は、変形例３６０Ａ（図３４）と同様に、同数の第１の向きのクロスガイドと第２の向きのクロスガイドを交互に配置した構成を有しているため、加振性能の方向性が軽減されると共に、振動テーブル３４００の各部をより均一に加振することが可能になる。
【手続補正５】
【補正対象書類名】図面
【補正対象項目名】図７
【補正方法】変更
【補正の内容】
【図７】
2017129579.tif 000001
【手続補正書】
【提出日】令和2年1月8日(2020.1.8)
【手続補正１】
【補正対象書類名】明細書
【補正対象項目名】発明の名称
【補正方法】変更
【補正の内容】
【発明の名称】画像表示システム、画像表示システムの動作方法
【手続補正２】
【補正対象書類名】特許請求の範囲
【補正対象項目名】全文
【補正方法】変更
【補正の内容】
【特許請求の範囲】
【請求項１】
撮像装置と、表示装置と、を有する画像表示システムであって、
前記撮像装置は、第１の画素ブロックと、第２の画素ブロックと、を有し、
前記表示装置は、第１の表示領域と、第２の表示領域と、を有し、
前記第１の画素ブロックおよび前記第２の画素ブロックの各々は、撮像用画素を有し、
前記第１の表示領域および前記第２の表示領域の各々は、表示用画素を有し、
前記第１および第２の画素ブロックのいずれかから出力された画像データは、前記第１および第２の表示領域のいずれかにおいて、画像として表示され、
前記撮像装置は、前記画像データを取得する第１のモードと、被写体の変化の有無を検出する第２のモードと、を有し、
前記表示用画素の各々は、画像データを記憶する機能を有し、
前記撮像装置は、
前記第１および第２の画素ブロックにおいて、
前記第１のモードで前記画像データを取得したのちに、前記第２のモードに切り替える機能と、
前記第２のモードで被写体の変化を検出した前記第１および／または前記第２の画素ブロックを前記第１のモードに切り替える機能と、
前記第１のモードに切り替えられた前記第１および／または前記第２の画素ブロックで新たな画像データを取得する機能と、を有し、
前記表示装置は、
前記第１の表示領域および前記第２の表示領域において、
前記第１のモードで取得した前記画像データを前記表示用画素の各々で記憶する機能と、
前記第１のモードで取得した前記画像データを前記表示用画素の各々で画像として表示する機能と、
前記第１および第２の表示領域に表示された画像のいずれかのみを書き換える機能と、
を有することを特徴とする画像表示システム。
【請求項２】
請求項１において、
前記撮像装置はマトリクス状に配置された前記撮像用画素と、駆動回路と、データ変換回路と、を有し、
前記撮像用画素は、光電変換素子、および酸化物半導体を活性層とする第１のトランジスタを有し、
前記駆動回路は、シリコンを活性層または活性領域とする第２のトランジスタを有し、
前記データ変換回路は、シリコンを活性層または活性領域とする第３のトランジスタを有し、
前記光電変換素子は、前記第１のトランジスタと重なる領域を有し、
前記光電変換素子は、前記第２のトランジスタまたは前記第３のトランジスタと重なる領域を有することを特徴とする画像表示システム。
【請求項３】
請求項１または２において、
前記表示装置はマトリクス状に配置された前記表示用画素と、駆動回路と、を有し、
前記表示用画素は、酸化物半導体を半導体層とする第４のトランジスタを有することを特徴とする画像表示システム。
【請求項４】
第１のモードで複数の画素ブロックを有する撮像装置を動作させて画素ブロックごとに被写体の第１の画像データを取得する第１のステップと、
前記各第１の画像データを複数の表示領域を有する表示装置に伝送する第２のステップと、
前記各第１の画像データを対応する各表示領域に記憶させ、画像として表示する第３のステップと、
第２のモードで前記撮像装置を動作させて前記被写体の変化のデータを取得する第４のステップと、
前記被写体の変化の有無を判定する第５のステップと、
を上記順序で行い、
前記第５のステップで、前記被写体の変化があると判定された場合は、変化があると判定された画素ブロックを前記第１のモードに切り替えて第２の画像データを取得する第６のステップと、
前記第２の画像データを前記表示装置に伝送する第７のステップと、
前記各第２の画像データを対応する表示領域に記憶させ、画像として表示する第８のステップと、
を上記順序で行ったのちに前記第４のステップに戻り、
前記第５のステップで、前記被写体の変化がないと判定された場合は、前記第４のステップに戻ることを特徴とする画像表示システムの動作方法。
【請求項５】
請求項４において、
前記第４のステップ乃至前記第７のステップを行う期間は、各表示領域に記憶した画像データの書き換えを行わないことを特徴とする画像表示システムの動作方法。
【手続補正書】
【提出日】令和2年1月10日(2020.1.10)
【手続補正１】
【補正対象書類名】特許請求の範囲
【補正対象項目名】請求項１
【補正方法】変更
【補正の内容】
【請求項１】
正側及び負側スイッチング素子の直列回路からなる複数のアームを並列に接続して構成され、モータを駆動する電力変換回路と、
前記モータを制御するため、前記電力変換回路を構成する各スイッチング素子に対するオンオフ信号を生成して出力する制御回路と、
前記モータの回転位置を検出する回転位置検出部とを備え、
前記制御回路は、第１及び第２タイマを備え、
前記回転位置に応じて前記第１タイマを起動し、前記第１タイマによる計時時間に基づいて前記正側スイッチング素子のオンタイミングを制御することで、前記モータへの通電を行い、
前記オンタイミングに応じて前記第２タイマを起動し、前記第２タイマによる計時時間に基づいて前記正側スイッチング素子のオフタイミングを制御すると共に、対向する２つのアームの負側スイッチング素子をオン状態にすることで還流電流を流してから、前記モータへの通電方向を切替え、
前記オンタイミングより先に前記回転位置が前記第１タイマを起動させる位置になると、前記オンタイミングで行う予定であった前記正側スイッチング素子のオン及び前記第２タイマの起動を行うモータ駆動装置。
【手続補正２】
【補正対象書類名】明細書
【補正対象項目名】０００７
【補正方法】変更
【補正の内容】
【０００７】
実施形態のモータ駆動装置は、正側及び負側スイッチング素子の直列回路からなる複数のアームを並列に接続して構成され、モータを駆動する電力変換回路と、
前記モータを制御するため、前記電力変換回路を構成する各スイッチング素子に対するオンオフ信号を生成して出力する制御回路と、
前記モータの回転位置を検出する回転位置検出部とを備え、
前記制御回路は、第１及び第２タイマを備え、
前記回転位置に応じて前記第１タイマを起動し、前記第１タイマによる計時時間に基づいて前記正側スイッチング素子のオンタイミングを制御することで、前記モータへの通電を行い、
前記オンタイミングに応じて前記第２タイマを起動し、前記第２タイマによる計時時間に基づいて前記正側スイッチング素子のオフタイミングを制御すると共に、対向する２つのアームの負側スイッチング素子をオン状態にすることで還流電流を流してから、前記モータへの通電方向を切替え、
前記オンタイミングより先に前記回転位置が前記第１タイマを起動させる位置になると、前記オンタイミングで行う予定であった前記正側スイッチング素子のオン及び前記第２タイマの起動を行う。
【手続補正３】
【補正対象書類名】明細書
【補正対象項目名】００１３
【補正方法】変更
【補正の内容】
【００１３】
制御マイコン７は、第１ＰＷＭ回路１５及び第２ＰＷＭ回路１６を備えており、第１ＰＷＭ回路１５はＦＥＴ＿Ｑ１及びＱ２側にゲート信号を出力し、第２ＰＷＭ回路１６はＦＥＴ＿Ｑ３及びＱ４側にゲート信号を出力する。制御マイコン７は、それぞれタイマ１及びタイマ２を内蔵してなるタイマ１制御部１７及びタイマ２制御部１８を備えている。タイマ１及び２はプログラマブルであり、それぞれ第１及び第２タイマに相当する。タイマ１は、ホールセンサ１３が出力する回転位置信号のエッジで起動され、モータ６の進角制御に使用される。タイマ２は、タイマ１の計時が終了すると起動され、ＦＥＴ＿Ｑ１及びＱ３の通電時間制御に使用される。
【手続補正４】
【補正対象書類名】明細書
【補正対象項目名】００３０
【補正方法】変更
【補正の内容】
【００３０】
以上のように本実施形態によれば、制御マイコン７は、タイマ１制御部１７及びタイマ２制御部１８を備え、モータ６の回転子位置に応じてタイマ１を起動し、タイマ１による計時時間に基づいてＦＥＴ＿Ｑ１，Ｑ３のオンタイミングを制御することで、モータ６への通電を行う。また、制御マイコン７は、前記オンタイミングに応じてタイマ２を起動し、タイマ２による計時時間に基づいてＦＥＴ＿Ｑ１，Ｑ３のオフタイミングを制御すると共に、対向する２つのアームのＦＥＴ＿Ｑ２，Ｑ４をオン状態にすることで還流電流を流してからモータ６への通電方向を切替える。そして、前記オンタイミングより先にロータ回転位置がタイマ１を起動させる位置になると、前記オンタイミングで行う予定であったＦＥＴ＿Ｑ１，Ｑ３のオン及びタイマ２の起動を行うようにした。
【手続補正５】
【補正対象書類名】明細書
【補正対象項目名】００３３
【補正方法】変更
【補正の内容】
【００３３】
加えて、電流検出部２２は、タイマ２による計時時間に基づいてＦＥＴ＿Ｑ１，Ｑ３のオフタイミングを制御する際に電流を検出し、制御マイコン７は、前記オフタイミングより先に次の回転位置信号のエッジが発生すると、インバータ回路５に還流電流を流す前の時点で、電流検出部２２により電流の検出を行わせてからモータ６への通電方向を切替えるようにした。これにより、モータ６が急加速した場合でも、電流の検出を確実に行うことができる。
【手続補正書】
【提出日】令和1年12月12日(2019.12.12)
【手続補正１】
【補正対象書類名】明細書
【補正対象項目名】発明の名称
【補正方法】変更
【補正の内容】
【発明の名称】エレクトレット基板およびその製造方法ならびに電気機械変換器
【手続補正２】
【補正対象書類名】特許請求の範囲
【補正対象項目名】全文
【補正方法】変更
【補正の内容】
【特許請求の範囲】
【請求項１】
基板上に、第１の複数の帯電用電極および第２の複数の帯電用電極を、前記第１の複数の帯電用電極と前記第２の複数の帯電用電極とが交互に配置されるように形成する工程と、
前記基板上に、前記第１の複数の帯電用電極および前記第２の複数の帯電用電極を覆うように絶縁体層を形成する工程と、
前記基板の上方に配置された放電用電極から前記基板に向けて放電により電子を放出させるとともに、前記第１の複数の帯電用電極と前記第２の複数の帯電用電極との間に絶縁破壊が生じない範囲内で前記放電中に前記第１の複数の帯電用電極の電位を前記第２の複数の帯電用電極よりも高く保つことにより、前記第１の複数の帯電用電極に対応する前記絶縁体層上の領域を帯電させる工程と、を有し、
前記帯電させる工程では、前記放電中に、前記第２の複数の帯電用電極のうちの一部を残りの前記第２の複数の帯電用電極とは異なる電位に保つ
ことを特徴とするエレクトレット基板の製造方法。
【請求項２】
前記帯電させる工程では、前記放電のための電圧源を前記第２の複数の帯電用電極と前記放電用電極との間に接続する、請求項１に記載の製造方法。
【請求項３】
基台と、
前記基台上に配置された第１の複数の帯電用電極と、
前記基台上に前記第１の複数の帯電用電極と交互に配置された第２の複数の帯電用電極と、
前記第１の複数の帯電用電極および前記第２の複数の帯電用電極を覆うように前記基台上に形成された絶縁体層と、を有し、
前記第１の複数の帯電用電極の直上の位置における前記絶縁体層は帯電領域であり、
前記第２の複数の帯電用電極の直上の位置における前記絶縁体層は非帯電領域であり、
複数の前記非帯電領域のうちの一部が残りの前記非帯電領域とは異なる電位である
ことを特徴とするエレクトレット基板。
【請求項４】
請求項３に記載のエレクトレット基板と、
前記エレクトレット基板の前記絶縁体層に対向して配置された固定基板と、
前記固定基板の前記エレクトレット基板との対向面に配置された対向電極と、を有し、
前記エレクトレット基板は前記固定基板との間で一定の距離を保って回転軸の周りを回転可能であり、
入力された電力または動力に応じて前記帯電領域と前記対向電極との間で発生する静電的な相互作用により電力と動力の間の変換を行い、
前記エレクトレット基板の回転方向が検出されるように前記対向電極から波形を出力する
ことを特徴とする電気機械変換器。
【手続補正書】
【提出日】令和2年1月15日(2020.1.15)
【手続補正１】
【補正対象書類名】明細書
【補正対象項目名】０００８
【補正方法】変更
【補正の内容】
【０００８】
上記の課題を解決するために、本発明は、特定状態を含む複数種類の演出状態に互いに異なる識別値がそれぞれ対応付けられた遊技機であって、所定条件の成立に基づいて前記特定状態への移行を決定する決定手段と、前記特定状態への移行の決定により前記識別値を特定識別値に更新する更新手段と、前記特定状態への移行の決定により前記演出状態を前記特定状態に移行させる移行手段と、を備え、前記特定状態は複数種類設けられており、前記複数種類の特定状態のうち第１特定状態と第２特定状態とに対して同一の前記識別値が対応付けられており、前記移行手段は、前記特定状態への移行が決定されたことに基づいて前記識別値が前記特定識別値に更新された場合に、予め定められた前記第１特定状態または前記第２特定状態に移行させることを特徴とする。
【手続補正２】
【補正対象書類名】特許請求の範囲
【補正対象項目名】全文
【補正方法】変更
【補正の内容】
【特許請求の範囲】
【請求項１】
特定状態を含む複数種類の演出状態に互いに異なる識別値がそれぞれ対応付けられた遊技機であって、
所定条件の成立に基づいて前記特定状態への移行を決定する決定手段と、前記特定状態への移行の決定により前記識別値を特定識別値に更新する更新手段と、前記特定状態への移行の決定により前記演出状態を前記特定状態に移行させる移行手段と、を備え、
前記特定状態は複数種類設けられており、
前記複数種類の特定状態のうち第１特定状態と第２特定状態とに対して同一の前記識別値が対応付けられており、
前記移行手段は、前記特定状態への移行が決定されたことに基づいて前記識別値が前記特定識別値に更新された場合に、予め定められた前記第１特定状態または前記第２特定状態に移行させることを特徴とする遊技機。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
当否抽選結果を報知する報知演出の開始から完了までの演出時間を、予め設定された複数種の候補時間のうちのいずれかに設定する演出時間設定手段を備えた遊技機であって、
遊技者に対して遊技方法を説明する遊技説明が実行される特定期間中に実行される全ての報知演出の演出時間を、前記複数種の候補時間のうちの最も短い特定時間に設定することを特徴とする遊技機。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
当否抽選に用いられる情報であって、第一当否判定情報、および当該第一当否判定情報とは異なる当否抽選に用いられる第二当否判定情報を記憶する記憶手段と、
対応する当否抽選の結果を報知する報知演出が未だ開始されていない当否判定情報であって、前記記憶手段に記憶されている第一当否判定情報を第一保留表示として、第二当否判定情報を第二保留表示として表示することが可能な表示手段と、
前記記憶手段に前記第一当否判定情報および前記第二当否判定情報の両方が記憶されているときであっても、前記保留表示の表示態様を、前記第一保留表示および前記第二保留表示の一方を表示し、他方を表示しない特定表示態様とすることが可能な表示制御手段と、
を備えることを特徴とする遊技機。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
第１基板が配され、駆動可能な役物ユニットと、
前記第１基板とは異なる第２基板と、
前記役物ユニットの駆動データを決定するための要素データを格納する格納手段と、
前記役物ユニットを用いた演出を実行可能な演出制御手段と、を備える遊技機であって、
前記役物ユニットは、
ベース部と、
前記ベース部に軸支され、回動可能な回転体と、
前記回転体側に配された前記第１基板と、前記ベース部側に配された前記第２基板とを電気的に接続するスリップリングと、を備え、
前記スリップリングから見て前記ベース部側に配され、第１電圧の電力を生成可能な電源手段と、
前記スリップリングから見て前記回転体側に配され、前記第１電圧の電力から、当該第１電圧とは異なる第２電圧の電力に変換する電圧変換手段と、を備え、
前記スリップリングは、
前記第２電圧の電力を伝達せず、前記第１電圧の電力を伝達するものであり、
前記演出制御手段は、
前記要素データを用いて前記駆動データを決定し、当該駆動データに基づいて前記役物ユニットを用いた演出を実行可能であることを特徴とする遊技機。
【請求項２】
請求項１に記載の遊技機であって、
前記役物ユニットは、
前記回転体と前記スリップリングとを連結する軸部を備え、
前記スリップリングは、
前記軸部に連結されており、前記回転体とともに回転する回転部と、
前記回転部を内部に収容する本体部と、を備え、
前記本体部は、
前記回転体とともに生じる前記回転部の位置ずれに連動して前記軸部に沿う方向に移動可能であることを特徴とする遊技機。
【手続補正２】
【補正対象書類名】明細書
【補正対象項目名】０００６
【補正方法】変更
【補正の内容】
【０００６】
本発明の遊技機は、
第１基板が配され、駆動可能な役物ユニットと、
前記第１基板とは異なる第２基板と、
前記役物ユニットの駆動データを決定するための要素データを格納する格納手段と、
前記役物ユニットを用いた演出を実行可能な演出制御手段と、を備える遊技機であって、
前記役物ユニットは、
ベース部と、
前記ベース部に軸支され、回動可能な回転体と、
前記回転体側に配された前記第１基板と、前記ベース部側に配された前記第２基板とを電気的に接続するスリップリングと、を備え、
前記スリップリングから見て前記ベース部側に配され、第１電圧の電力を生成可能な電源手段と、
前記スリップリングから見て前記回転体側に配され、前記第１電圧の電力から、当該第１電圧とは異なる第２電圧の電力に変換する電圧変換手段と、を備え、
前記スリップリングは、
前記第２電圧の電力を伝達せず、前記第１電圧の電力を伝達するものであり、
前記演出制御手段は、
前記要素データを用いて前記駆動データを決定し、当該駆動データに基づいて前記役物ユニットを用いた演出を実行可能であることを特徴とする。